(57)【要約】【課題】本発明は通信機器をはじめ一般電子機器の電子回路基板におけるＬＳＩ等のノイズを除去するコンデンサシート及び電子回路基板に関し、電子装置の高速化及び電子回路基板の高密度化がされても、確実にノイズ除去を行うこと課題とする。【解決手段】積層体本体４０を貫通して設けられＬＳＩ１の端子電極１１が接続される第１の貫通電極３３Ａと、この第１の貫通電極３３Ａと電気的に絶縁されると共に積層体本体４０を貫通して設けられた第２の貫通電極３４Ａと、第１の貫通電極３３Ａのみに電気的に接続された第１の導体薄膜３５Ａと、第２の貫通電極３４Ａのみに電気的に接続されると共に第１の導体薄膜３５Ａと誘電体層３９を介して対向するよう配設される第２の導体薄膜３６Ａとを有する。【選択図】図８
2007250867.tif 000002
【特許請求の範囲】
【請求項１】
電子装置に付帯して設けられるコンデンサシートであって、
積層体本体を貫通して設けられ、前記電子装置の端子電極が電気的に接続される第１の貫通電極と、
前記積層体本体おける前記第１の貫通電極の配設位置と異なる位置に、前記第１の貫通電極と電気的に絶縁され、かつ前記積層体本体を貫通して設けられた第２の貫通電極と、
前記第１の貫通電極と電気的に接続されると共に前記第２の貫通電極とは絶縁された、単数若しくは複数の第１の導体薄膜と、
前記第２の貫通電極と電気的に接続されると共に前記第１の貫通電極とは絶縁されており、前記第１の導体薄膜と前記誘電体層を介して対向するよう配設された単数若しくは複数の第２の導体薄膜と、
を有することを特徴とするコンデンサシート。
【請求項２】
１個の前記第１の貫通電極に形成された前記第１の導体薄膜は、前記複数の第２の貫通電極に形成された複数の前記第２の導体薄膜と同時に対向するよう構成してなることを特徴とする請求項１記載のコンデンサシート。
【請求項３】
前記第１の導体薄膜から積層方向上部に位置する前記第２の導体薄膜までの離間距離と、当該第１の導体薄膜から積層方向下部に位置する前記第２の導体薄膜までの離間距離が異なるよう構成したことを特徴とする請求項１または２記載のコンデンサシート。
【請求項４】
前記第１の貫通電極及び前記第２の貫通電極の上端部及び下端部が、外部接続電極として機能するよう構成したことを特徴とする請求項１乃至３のいずれか１項に記載のコンデンサシート。
【請求項５】
絶縁体層内に基板電極が形成された電子回路基板であって、
該基板電極と前記第１及び第２の貫通電極が接続されるよう、請求項１乃至７のいずれか１項に記載のコンデンサシートを搭載してなることを特徴とする電子回路基板。
【発明の詳細な説明】
【技術分野】
【０００１】
本発明はコンデンサシート及び電子回路基板に係り、特に通信機器をはじめ一般電子機器の電子回路基板におけるＬＳＩ等のノイズを除去するコンデンサシート及び電子回路基板に関するものである。
【０００２】
本発明は、電子機器に搭載されるＬＳＩなど電子部品の高周波及び低周波ノイズを除去するために利用される。ノイズは電子部品の誤動作を発生させる原因となるだけでなく、周囲の電子部品などにも影響を及ぼす原因となるため、性能とコストが両立したノイズ除去手法が求められている。
【背景技術】
【０００３】
図１は、ＬＳＩ等のノイズ除去を必要とする通信装置の一例を示している。同図に示す通信装置１０１は、ＬＳＩが搭載された電子回路基板１０２ａを有する複数のプラグインユニット１０２と、これらプラグインユニット１０２が挿設されるサブラック１０３とからなり、このサブラック１０３はサブラック搭載架１０４に格納される。
【０００４】
この通信装置１０１では、プラグインユニット１０２がサブラック１０３に挿入され、プラグインユニット１０２のコネクタ１０２ｂとサブラック１０３の内部に備えられたバックプレーンコネクタ（図示略）とが接続され、プラグインユニット１０２とサブラック１０３とが電気的に結合される。
【０００５】
図２及び図３は、従来の電子回路基板１０２ａを適用したプラグインユニット１０２を示している。図２（Ａ）はプラグインユニット１０２の背面図であり、図２（Ｂ）はプラグインユニット１０２の正面図である。また、図３（Ａ）は図２（Ａ）の矢印Ａで示す領域を拡大して示す図であり、図３（Ｂ）は図２（Ｂ）の矢印Ｂで示す領域を拡大して示す図である。
【０００６】
各図に示すように、従来では電子回路基板１０２ａのＬＳＩ１０５が配設された領域の近傍及びＬＳＩ１０５が配設された背面側に、ノイズを除去するためのコンデンサ１０６（高周波用コンデンサチップ及び低周波数用コンデンサチップ）を多数搭載していた。
【０００７】
ＬＳＩ１０５の高速動作化に伴い、ＬＳＩ電極の高周波ノイズへの対応が大きな課題となってきており、従来では高周波特性の良いチップコンデンサをＬＳＩ１０５の電源端子電極近傍に搭載することによりこれに対応していた。
【０００８】
しかしながら、電子回路基板１０２ａ上の電子回路の高密度搭載により、十分な数量及び十分な容量のコンデンサ１０６を搭載することが困難になっている。更に、搭載したコンデンサ１０６は、高密度搭載された周辺の電子回路、ＬＳＩ１０５の電源及びグランド端子電極近傍の引き出し配線や貫通穴等により、ＬＳＩ１０５の端子電極までの接続配線長が長くなり、接続配線の抵抗成分及びインダクタンス成分が無視できなくなり電気特性を満足することが困難になっている。
【０００９】
実際、ＬＳＩ１０５の近傍領域を少しでも確保し、コンデンサ１０６をなるべく短い配線で多数搭載しているが、搭載数が増えると搭載する部材費及び加工費が上がり、高コスト化を招くと共に、故障率も増加し信頼性低下を招くことになる。
【００１０】
図４は、コンデンサの周波数特性を表した図である。通常、高周波ノイズ対応用のコンデンサとしては、共振周波数が高く、ＥＳＲ及びＥＳＬが小さいものを用いる。ここで上記したとおり、コンデンサ１０６とＬＳＩ１０５の端子電極までの接続配線長が長くなると、接続配線の持つ抵抗分（ＥＳＲ）及びインダクタンス分（ＥＳＬ）の影響が加わり、本来期待する電気特性を満足することが困難となってくる。
【００１１】
近年、これらの問題点を解決しうる法として、特許文献１，２に開示されるようなコンデンサシートを用いることが提案されている。
【特許文献１】特開２００２−２５８５６号公報
【特許文献２】特開２００２−８３８９２号公報
【発明の開示】
【発明が解決しようとする課題】
【００１２】
しかしながら、従来の特許文献１，２に開示された従来のコンデンサシートでは、各ＬＳＩのピン配列（信号、電源、グランドの端子電極配列）に依存した専用のシートになり汎用性を持たすことができないという問題点があった。また、１つの特定電源と１つの特定グランド間でコンデンサを形成するシート構成となっているため、複数の電源を有するＬＳＩには対応できないという問題点もあった。
【００１３】
本発明は上記の点に鑑みてなされたものであり、電子装置（ＬＳＩ）の高速化及び電子回路基板の高密度化がされても、確実にノイズ除去を行いうるコンデンサシート及び電子回路基板を提供することを目的とする。
【課題を解決するための手段】
【００１４】
上記の課題を解決するために本発明の一実施態様では、
電子装置に付帯して設けられるコンデンサシートであって、
積層体本体を貫通して設けられ、前記電子装置の端子電極が電気的に接続される第１の貫通電極と、
前記積層体本体おける前記第１の貫通電極の配設位置と異なる位置に、前記第１の貫通電極と電気的に絶縁され、かつ前記積層体本体を貫通して設けられた第２の貫通電極と、
前記第１の貫通電極と電気的に接続されると共に前記第２の貫通電極とは絶縁された、単数若しくは複数の第１の導体薄膜と、
前記第２の貫通電極と電気的に接続されると共に前記第１の貫通電極とは絶縁されており、前記第１の導体薄膜と前記誘電体層を介して対向するよう配設された単数若しくは複数の第２の導体薄膜とを有することを特徴とするものである。
【００１５】
また、本発明の他の実施態様では、１個の前記第１の貫通電極に形成された前記第１の導体薄膜は、前記複数の第２の貫通電極に形成された単一または複数の前記第２の導体薄膜と同時に対向するよう構成していることを特徴とするものである。
【００１６】
また、本発明の他の実施態様では、前記第１の導体薄膜から積層方向上部に位置する前記第２の導体薄膜までの離間距離と、当該第１の導体薄膜から積層方向下部に位置する前記第２の導体薄膜までの離間距離が異なるよう構成したことを特徴とするものである。
【００１７】
また、本発明では、前記第１の貫通電極及び前記第２の貫通電極の上端部及び下端部が、外部接続電極として機能するよう構成したことを特徴とするものである。
【００１８】
上記構成において、前記第１の貫通電極は、前記電子装置に形成された端子電極が挿入される貫通穴を有している構成としてもよい。また、複数の前記第１の貫通電極に電気的に接続された第１の導体薄膜を一体化した構成してもよい。また、複数の前記第２の貫通電極に電気的に接続された第２の導体薄膜を一体化した構成としてもよい。
【００１９】
また、本発明の他の実施態様は、絶縁体層内に基板電極が形成された電子回路基板であって、
該基板電極と前記第１及び第２の貫通電極が接続されるよう、上記の実施態様に係るコンデンサシートを搭載してなることを特徴とするものである。
【００２０】
上記構成において、前記基板電極が選択的に絶縁されてなる構成としてもよい。
【発明の効果】
【００２１】
本発明によれば、第１及び第２の貫通電極に対して第１及び第２の導体薄膜を任意の数及び任意の面積で個々の貫通電極毎に独立して形成することが可能となるため、各貫通電極間に十分な静電容量を付与することができる。また、電子装置と電子回路基板問にコンデンサを形成するため、配線距離が短くなり高周波成分のノイズ除去能力を向上させることができる。
【発明を実施するための最良の形態】
【００２２】
次に、本発明を実施するための最良の形態について図面と共に説明する。
【００２３】
図５乃至図１４は、本発明の第１実施例であるコンデンサシート及び電子回路基板を説明するための図である。図５乃至図８は、ＬＳＩ１（電子装置）をコンデンサシート３Ａを介して電子回路基板２Ａに実装する構成を説明するための図であり、図９乃至図１４はコンデンサシート３Ａの具体的構成を説明するための図である。
【００２４】
本実施例で対象とするＬＳＩ１は高速化されたものであり、またパッケージの下面（実装面）には複数の端子電極１１が配設された構成とされている。この端子電極１１は、例えばはんだボールにより構成されている。
【００２５】
このＬＳＩ１は、コンデンサシート３Ａを介して電子回路基板２Ａに実装される。電子回路基板２Ａは、複数の導体層２２ａ，２２ｂ（総称する場合は、導体層２２という）と絶縁体層２１が積層された積層回路基板である。導体層２２ａは電源電位を有し、また導体層２２ｂはグランド電位を有するよう構成されている。この電子回路基板２Ａは、複数の第１の基板電極２３及び第２の基板電極２４が形成されている。
【００２６】
第１及び第２の基板電極２３，２４は絶縁体層２１，導体層２２を貫通して形成されており、その上端部にパッド部２３ａ，２４ａが形成されると共に下端部にパッド部２３ｂ，２４ｂが形成されている（図８に詳しい）。この電子回路基板２Ａのパッド部２３ａには、後述するコンデンサシート３Ａの第１の貫通電極３３Ａが電気的に接続され、パッド部２４ａにはコンデンサシート３Ａの第２の貫通電極３４Ａが電気的に接続される。
【００２７】
また、本実施例では、第１の基板電極２３の形成位置は、ＬＳＩ１の端子電極１１の配設位置と対応するよう設定されている。更に、第１の基板電極２３の配設位置と、第２の基板電極２４の配設位置は、隣接する４個の第１の基板電極２３を選定した場合、第２の基板電極２４はこの４個の第１の基板電極２３の各対角線の交差する位置（即ち、中心位置）に位置するよう設定されている。また、隣接する４個の第２の基板電極２４を選定した場合、第１の基板電極２３はこの４個の第２の基板電極２４の各対角線の交差する位置（即ち、中心位置）に位置するよう設定されている。
【００２８】
続いて、コンデンサシート３Ａについて説明する。
【００２９】
コンデンサシート３Ａは、大略すると第１の貫通電極３３Ａ、第２の貫通電極３４Ａ、及び積層体本体４０（第１の導体薄膜３５Ａ、第２の導体薄膜３６Ａ、及び誘電体層３９等によりなる）等により構成されている。第１の貫通電極３３Ａは積層体本体４０を貫通して形成されており、ポリイミド等の誘電体層３９に形成された第１の貫通穴３７の内周に例えば金メッキ（これに限定されるものではない）を施した構成とされている。
【００３０】
第２の貫通導体３４Ａは積層体本体４０を貫通して形成されており、第１の貫通電極３３Ａと異なる位置にこれと絶縁するよう設けられている。この第２の貫通導体３４Ａも、誘電体層３９に形成された第２の貫通穴３８の内周に例えば金メッキ（これに限定されるものではない）を施した構成とされている。
【００３１】
この第１及び第２の貫通電極３３Ａ，３４Ａは、誘電体層３９を貫通して形成されているため、その上端部及び下端部は誘電体層３９の上面及び下面から露出して外部接続端子として機能するよう構成されている。
【００３２】
また、第１の貫通穴３７の内径は、ＬＳＩ１に設けられている端子電極１１の直径と略等しく設定されており、後述するように端子電極１１が第１の貫通穴３７内に挿入された際、端子電極１１が第１の貫通穴３７と電気的に接続されるよう構成されている。尚、第２の貫通穴３８の内径は、端子電極１１とは関係付けされておらず、第１の貫通穴３７よりも小径とされている。
【００３３】
更に、第１の貫通電極３３Ａの形成位置は電子回路基板２Ａに形成された第１の基板電極２３と対応するよう、また第２の貫通電極３４Ａの形成位置は電子回路基板２Ａに形成された第２の基板電極２４の形成位置と対応するよう設定されている。よって、コンデンサシート３Ａを電子回路基板２Ａ上に搭載することにより、第１の貫通電極３３Ａは第１の基板電極２３と電気的に接続し、第２の貫通電極３４Ａは第２の基板電極２４と電気的に接続する。
【００３４】
従って本実施例では、第１の貫通電極３３Ａの配設位置と、第２の貫通電極３４Ａの配設位置は、隣接する４個の第１の貫通電極３３Ａを選定した場合、第２の貫通電極３４Ａはこの４個の第１の貫通電極３３Ａの各対角線の交差する位置（即ち、中心位置）に位置するよう設定されている。また、隣接する４個の第２の貫通電極３４Ａを選定した場合、第１の貫通電極３３Ａはこの４個の第２の貫通電極３４Ａの各対角線の交差する位置（即ち、中心位置）に位置するよう設定されている。
【００３５】
一方、第１の貫通電極３３Ａは、複数（本実施例では５枚）の第１の導体薄膜３５Ａが設けられている。図１２及び図１３（Ａ）に示すように、この第１の導体薄膜３５Ａは第１の貫通電極３３Ａと電気的に接続した構成とされており、またその形状は平面視で略矩形状とされている。この第１の導体薄膜３５Ａは、誘電体層３９を間に挟んで積層されており、その延在方向は第１の貫通電極３３Ａの軸方向（図１４における上下方向）に対して直交する面方向とされている。よって、各第１の導体薄膜３５Ａは、それぞれが平行となる。
【００３６】
第２の貫通電極３４Ａは、複数（本実施例では４枚）の第２の導体薄膜３６Ａが設けられている。この第２の導体薄膜３６Ａは第２の貫通電極３４Ａと電気的に接続されており、その形状は平面視で矩形の四隅位置を湾曲状に面取りした形状とされている。この第２の導体薄膜３６Ａは、誘電体層３９を間に挟んで積層されており、その延在方向は第２の貫通電極３４Ａの軸方向（図１４における上下方向）に対して直交する面方向とされている。よって、各第２の導体薄膜３６Ａは、それぞれが平行となる。
【００３７】
また、図１２及び図１４に示すように、上記した第１の導体薄膜３５Ａと第２の導体薄膜３６Ａは、その間に誘電体層３９を介在させながら積層され、これにより積層体本体４０が形成される。即ち、各第１の導体薄膜３５Ａと第２の導体薄膜３６Ａは、誘電体層３９を介して対向した構成とされている。従って、対向する一対の第１の導体薄膜３５Ａと第２の導体薄膜３６Ａ及び両者間に介在する誘電体層３９は、コンデンサを形成する。
【００３８】
本実施例では、上記のように５枚の第１の導体薄膜３５Ａの間に４枚の第２の導体薄膜３６Ａが対するよう入り込みコンデンサを形成するため、合計８個のコンデンサが形成される（図１４参照）。従って、第１の導体薄膜３５Ａと第２の導体薄膜３６Ａの形成枚数を変化させることにより、第１の貫通電極３３Ａと第２の貫通電極３４Ａとの間に形成されるコンデンサの数を変化させることができる。
【００３９】
続いて、図１３（Ｂ）を主に用いて、上記のように構成されるコンデンサの静電容量（コンデンサ容量）について説明する。ここでは、１本の第２の貫通電極３４Ａと、その外側に位置する４本の第１の貫通電極３３Ａとの間に形成されるコンデンサの静電容量を求めることとする。
【００４０】
図１３（Ｂ）に示すように、第２の貫通電極３４Ａと電気的に接続した第２の導体薄膜３６Ａは、４本の第１の貫通電極３３Ａにそれぞれ接続した第１の導体薄膜３５Ａと同時に対向する。図１３（Ｂ）では、平面視で第１の導体薄膜３５Ａと第２の導体薄膜３６Ａとが対向する部分を斜線で示している。本実施例では、この第２の導体薄膜３６Ａと各第１の導体薄膜３５Ａとが対向する面積（以下、この面積をSとする）は、全て等しくなっている。
【００４１】
そして、図１４に示すように、積層方向に対する一対の第１の導体薄膜３５Ａと第２の導体薄膜３６Ａとの離間距離をdとし、第１の導体薄膜３５Ａと第２の導体薄膜３６Ａとの間に介在する誘電体層３９の比誘電率をεrとし、誘電率をε0とすると、４箇所ある対向位置の内、一つの対向位置（例えば、図１３（Ｂ）に矢印Ｆで示す対向位置）の静電容量C１は、C１＝ε0×εr×S／dにより求められる。
【００４２】
ここで、１つの第２の導体薄膜３６Ａには４つの第１の導体薄膜３５Ａが対向しているため、平面視ではコンデンサC１が４つ並列していることになる。従って、１枚の第２の導体薄膜３６Ａにおける総コンデンサ容量CＴ１は、CＴ１＝（ε0×εr×S／d）×４となる。また図１４に示すように、コンデンサシート３Ａは導体薄膜３５Ａ，３６Ａを交互に積層した構成とされており、この積層数により形成されるコンデンサの静電容量は変化する。
【００４３】
具体的には、積層数量が多ければ、コンデンサ数が並列的に多くなり、総静電容量も増大する。いま、導体薄膜３５Ａ，３６Ａにより形成されるコンデンサ数がｎ（整数）であったとすると、総静電容量Ｃは、C＝ＣＴ１＋CＴ２＋ …＋CＴnとなる。
【００４４】
上記の構成とされたＬＳＩ１、電子回路基板２Ａ、及びコンデンサシート３Ａは、次の手順で一体化する。先ず、電子回路基板２Ａの上面に位置するパッド部２３ａ，２４ａにペースト状のはんだを塗布する。
【００４５】
続いて、第１の貫通電極３３Ａと第１の基板電極２３が接続され、かつ第２の貫通電極３４Ａと第２の基板電極２４が接続されるよう位置決めし、コンデンサシート３Ａを電子回路基板２Ａ上に搭載する。そして、この状態でＬＳＩ１の端子電極１１をコンデンサシート３Ａの第１の貫通穴３７内に挿入する。
【００４６】
続いて、加熱処理を行うことによりはんだを溶融し、続いて冷却することにより、ＬＳＩ１、電子回路基板２Ａ、及びコンデンサシート３Ａを一括的にはんだ付けする。しかしながら、ＬＳＩ１、電子回路基板２Ａ、及びコンデンサシート３Ａを接合する方法は、上記の方法に限定されるものではない。
【００４７】
上記のようにＬＳＩ１、電子回路基板２Ａ、及びコンデンサシート３Ａを接合することにより、コンデンサシート３Ａ内の第１の導体薄膜３５Ａ（及びＬＳＩ１の端子電極１１）には、導体層２２ａ→第１の基板電極２３→第１の貫通電極３３Ａを介しで電源電位が印加され、また第２の導体薄膜３６Ａには、導体層２２ｂ→第２の基板電極２４→第２の貫通電極３４Ａを介してグランド電位が印加される。
【００４８】
よって、第１の導体薄膜３５Ａと第２の導体薄膜３６Ａは、互いの部分的対向面及び誘電体によりコンデンサとして機能する。これにより、ＬＳＩ１の各端子電極１１と電子回路基板２の導体層２２ｂ（グランド層）との間にコンデンサが形成されたことになる。
【００４９】
上記した本実施例に係るコンデンサシート３Ａによれば、１個の端子電極１１に対し、第１及び第２の導体薄膜３５Ａ，３６Ａよりなるコンデンサを複数形成することが可能となる。このため、ＬＳＩ１に対するノイズ除去を行いうる十分な静電容量（コンデンサ容量）のコンデンサを実現できる。
【００５０】
また、ＬＳＩ１の各端子電極１１にはコンデンサが近接して形成されるため、インダクタンス成分による電気特性の課題を解決することができる。更に、本実施例のコンデンサシート３Ａは、ＬＳＩ１の端子電極１１毎にコンデンサ形成が独立しているため、従来のようにＬＳＩの電源及びグランド端子電極に対応した専用のコンデンサシートになるという問題点を解決できる。
【００５１】
続いて、図１５乃至図２７を用いて本発明の第２乃至第９実施例について説明する。尚、図１５乃至図２７において、第１実施例の説明に用いた図５乃至図１４に示した構成同一構成については同一符号を付してその説明を省略するものとする。
【００５２】
先ず、第２実施例について説明する。図１５乃至図１７は、第２実施例であるコンデンサシート３Ｂを示している。
【００５３】
前記した第１実施例では、第１の貫通電極３３Ａに複数の第１の導体薄膜３５Ａを形成すると共に、第２の貫通電極３４Ａにも複数の第２の導体薄膜３６Ａを形成する構成とした。これに対して本実施例に係るコンデンサシート３Ｂは、第１の貫通電極３３Ｂに１枚の第１の導体薄膜３５Ｂのみを形成し、第２の貫通電極３４Ｂに１枚の第２の導体薄膜３６Ｂのみを形成したものである。コンデンサシート３Ｂ内に形成するコンデンサ数は複数個に限定されるものではなく、本実施例のように１個のみとすることも可能である。
【００５４】
次に、第３実施例について説明する。図１８及び図１９は、第３実施例であるコンデンサシート３Ｃを示している。
【００５５】
前記した第１実施例では、対向する全ての第１の導体薄膜３５Ａと第２の導体薄膜３６Ａとの離間距離dは等しい距離とされていた。これに対して本実施例に係るコンデンサシート３Ｃは、第１の導体薄膜３５Ｃと第２の導体薄膜３６Ｃとの離間距離（d1，d2）を所望する静電容量（コンデンサ容量）を実現するため、異ならせたことを特徴とするものである（d1≠d2）。
【００５６】
コンデンサ容量Cの計算式は前述したとおり、導体薄膜３５Ｃ．３６Ｃの対向する面積S、導体薄膜３５，３６の離間距離d、誘電体の比誘電率εr、誘電率ε0から計算式C＝ε0×εr×S／dにより求められる。従って、各導体薄膜３５Ｃ．３６Ｃの距離は、本実施例のようにＬＳＩ１のある端子電極１１に対する導体薄膜３５Ｃ，３６Ｃが複数積層されている場合、複数積層された導体薄膜３５Ｃ，３６Ｃのうちの１対の離間距離をd１とし、別の対の離間距離をd２というように混在してもよい。
【００５７】
また、ＬＳＩ１の端子電極１１のそれぞれにおいて、任意の距離としてもよい。即ち、ある端子電極１１に対応して設けられる複数の導体薄膜３５Ｃ．３６Ｃの対の離間距離を全て距離d３とし、これと異なる端子電極１１に対応して設けられる複数の導体薄膜３５Ｃ．３６Ｃの対の離間距離を全て距離d４（d４≠d３）とする構成としてもよい。
【００５８】
このように、コンデンサシート３Ｃ内に複数対形成される第１の導体薄膜３５Ｃと第２の導体薄膜３６Ｃとの対の離間距離は、全て等しくする必要はなく、ＬＳＩ１の各端子電極１１により異なる静電容量に対応し、適宜選定することができるものである。これにより、端子電極１１毎に適した静電容量のコンデンサを容易に実現することができる。
【００５９】
次に、第４実施例について説明する。図２０は、第４実施例であるコンデンサシート３Ｄを示している。尚、図２０では図示の便宜上、誘電体層３９の図示を省略している。
【００６０】
前記した第１実施例では、第２の導体薄膜３６Ａの形状を、平面視で矩形の四隅位置を湾曲状に面取りした形状とした。これに対して本実施例に係るコンデンサシート３Ｄでは、第２の導体薄膜３６Ｄの形状を平面視で円形状としたことを特徴とするものである。
【００６１】
コンデンサシート３Ｄは、第１の導体薄膜３５Ａと第２の導体薄膜３６Ｄが対向することによりコンデンサとして機能する構成であるため、各導体薄膜３５Ａ，３６Ｄが対向していればその形状は限定されない。従って、各導体薄膜３５Ａ，３６Ｄは、所望する静電容量を実現しうる形状に適宜設定することが可能であり、本実施例のように平面視で円形としても、またその他に楕円形状、ひし形形状等の種々の形状とすることが可能である。これにより、形成されるコンデンサの静電容量の調整を行うことができる。
【００６２】
次に、第５実施例について説明する。図２１は、第５実施例であるコンデンサシート３Ｅを示している。尚、図２１においても、誘電体層３９の図示を省略している。
【００６３】
前記した第１実施例では、図１２に示すように、一つの第１の導体薄膜３５Ａに注目した場合、その四隅位置の全てでコンデンサが形成された構成とされていた。これに対して本実施例に係るコンデンサシート３Ｅは、一つの第１の導体薄膜３５Ａに注目した場合、その四隅位置の全てではコンデンサが形成されていないよう構成したことを特徴とするものである。
【００６４】
具体的には、図２１に矢印Ｅで示す破線領域には、第２の貫通電極３４Ａ及び第２の導体薄膜３６Ａが形成されていない。このように、必ずしも第１の導体薄膜３５Ａ或いは第２の導体薄膜３６Ａの四隅の全てにコンデンサを形成する必要はなく、端子電極１１の特性に応じて必要とする静電容量を実現できるよう、第１の貫通電極３３Ａ（第１の導体薄膜３５Ａを含む）及び第２の貫通電極３４Ａ（第２の導体薄膜３６Ａを含む）の配設数及び配設位置を選定することができる。よって、この構成によっても、形成されるコンデンサの静電容量の調整を行うことができる。
【００６５】
次に、第６実施例について説明する。図２２は、第６実施例であるコンデンサシート３Ｆを示している。尚、図２２においても、誘電体層３９の図示を省略している。
【００６６】
前記した第１実施例では、図１２に示すように、１個の第１の貫通電極３３Ａに、これにのみ接続する第１の導体薄膜３５Ａを設け、他の第１の貫通電極３３Ａとの間で第１の導体薄膜３５Ａを共有する構成とはされていなかった。同様に、１個の第２の貫通電極３４Ａにおいても、これにのみ接続する第２の導体薄膜３６Ａを設け、他の第２の貫通電極３４Ａとの間で第２の導体薄膜３６Ａを共有する構成とはされていなかった。
【００６７】
しかしながら、適用するＬＳＩ１の特性や、同電位の端子電極１１が連続的に配列されている場合などによっては、必ずしも導体薄膜３６を端子電極１１毎に独立する必要はなく、部分的に複数の端子電極１１が接続される導体薄膜としてもよく、または全ての端子電極１１が接続される導体薄膜としてもよい。
【００６８】
そこで本実施例に係るコンデンサシート３Ｆは、複数（本実施例では４個）の第１の貫通電極３３Ｄにそれぞれ接続される第１の導体薄膜３５Ｄを設けた構成とした。また、第２の貫通電極３４Ｅにおいても、複数（本実施例では４個）の第２の貫通電極３４Ｅにそれぞれ接続される第２の導体薄膜３６Ｅを設けた構成とした。
【００６９】
この構成とすることにより、第１の導体薄膜３５Ｄは４個の第１の貫通電極３３Ｄに共通した導体薄膜となり、図１２に示した第１実施例における４枚（平面視した状態の４枚
）の第１の導体薄膜３５Ａが一体化したのと同様の構成となる。また、第２の導体薄膜３６Ｄは４個の第２の貫通電極３４Ｄに共通した導体薄膜となり、図１２に示した第１実施例における４枚（平面視した状態の４枚）の第２の導体薄膜３６Ａが一体化したとのと同様の構成となる。
【００７０】
本実施例の構成によれば、第１の導体薄膜３５Ｄと第２の導体薄膜３６Ｅの対向面積Sが広くなるため、大なる静電容量（コンデンサ容量）を必要とする場合に有効である。また、各導体薄膜３５Ｄ，３６Ｅと接続する貫通電極３３Ｄ，３４Ｅの個数を適宜選定することにより、形成されるコンデンサの静電容量の調整を行うことができる。
【００７１】
次に、図２３を参照して第７実施例について説明する。
【００７２】
前記した第１実施例では、図８に示すように、全ての第２の基板電極２４は絶縁体層２１を貫通して形成されており、かつ全ての第２の基板電極２４が導体層２２ｂと電気的に接続された構成とされていた。これにより、第２の基板電極２４と接続する第２の貫通電極３４Ｂ及び第２の導体薄膜３６Ｂもグランド電位となり、全ての第２の導体薄膜３６Ｂと第１の導体薄膜３５Ｂとの対向位置でコンデンサが形成されていた。
【００７３】
これに対して本実施例では、電子回路基板２Ｂの第２の基板電極２４が選択的に導体層２２ｂから絶縁された構成としたことを特徴とする。この構成とすることにより、絶縁された第２の基板電極２４と対応する第２の貫通電極３４Ｂ及び第２の導体薄膜３６Ｂはコンデンサを形成しないこととなる。
【００７４】
図２３を用いて導体層２２ｂと第２の基板電極２４を絶縁する具体的な構成について説明する。同図に矢印Ｐ１で示す構成は、導体層２２ｂと第２の基板電極２４とを接続しない構成としたものである。また、矢印Ｐ２で示す構成は、第２の基板電極２４自体を除去した構成である。また、矢印Ｐ３で示す構成は、パッド部２４ａ，２４ｂのみを形成し、その間に第２の基板電極２４（内部の金メッキを含む）を形成しないよう構成したものである。
【００７５】
上記したＰ１〜Ｐ３の構成とすることにより、第２の貫通電極３４Ｂがグランド電位となることはなく、よってこのグランド電位とならない第２の貫通電極３４Ｂに設けられた第２の導体薄膜３６Ｂと第１の導体薄膜３５Ｂとの間には電位差が発生することはなく、よってコンデンサは形成されない。
【００７６】
本実施例の構成とすることにより、図２１に示した第５実施例に係るコンデンサシート３Ｅと同様に、コンデンサシート３Ｂ内においてコンデンサは選択的に形成されるため、これによりコンデンサシート３Ｂ内における全体の静電容量の調整を行うことができる。
【００７７】
尚、コンデンサを形成させない構成は上記した構成に限定されるものではなく、導体薄膜３５Ｂ，３６Ｂ間に電位差を生じさせないような構成であれば他の構成としてもよい（例えば、コンデンサシートと電子回路基板との接合を選択的に行う等）。
【００７８】
次に、図２４及び図２５を参照して第８実施例について説明する。
【００７９】
前記した第１実施例では、図８に示すように、ＬＳＩ１の端子電極１１は、コンデンサシート３Ａに形成された第１の貫通穴３７内に挿入される構成とされていた。この構成とすることにとより、端子電極１１と第１の貫通電極３３Ａの電気的接続を良好とすることができる。
【００８０】
しかしながら、ＬＳＩ１の高密度化により端子電極１１の配設数が増大すると、コンデンサシート３Ａに端子電極１１を挿入する第１の貫通穴３７を形成する領域を保持することが困難となる。そこで本実施例に係るコンデンサシート３Ｆは、第１の貫通電極３３Ｅに第２の貫通穴３８を形成することはせず、第１の貫通電極３３Ｅの直径を第１実施例に比べて小径とすると共に、内部に導電性金属を充填（埋めた）構成したことを特徴とする。
【００８１】
本実施例の構成によれば、第１の貫通電極３３Ｅを高密度に形成することが可能となり、ＬＳＩ１の多ピン化に対応することができる。
【００８２】
次に、図２６及び図２７を参照して第９実施例について説明する。
【００８３】
前記した第１実施例では、ＬＳＩ１と電子回路基板２Ａとの間にコンデンサシート３Ａを挟むように配設した構成を示した。しかしながら、コンデンサシートは必ずしもＬＳＩ１と電子回路基板２Ａとの間にする必要はなく、本実施例のように電子回路基板２Ａの上面にＬＳＩ１を搭載し、電子回路基板２Ａの下面にコンデンサシート３Ａを搭載する構成としてもよい。
【００８４】
また、コンデンサシートをＬＳＩ１内に一体的に組み込むことも可能であり、更にコンデンサシートを電子回路基板内に一体的に組み込むことも可能である。この構成とした場合には、実装時にコンデンサシート３ＡをＬＳＩ１，電子回路基板に接合する作業が不要とになると共に、実装時におけるＬＳＩ，電子回路基板，及びコンデンサシートの全体としての小型化を図ることが可能となる。
【００８５】
以上の説明に関し、更に以下の項を開示する。
（付記１）
電子装置に付帯して設けられるコンデンサシートであって、
前記積層体本体を貫通して設けられ、前記電子装置の端子電極が電気的に接続される第１の貫通電極と、
前記積層体本体おける前記第１の貫通電極の配設位置と異なる位置に、前記第１の貫通電極と電気的に絶縁され、かつ前記積層体本体を貫通して設けられた第２の貫通電極と、
前記第１の貫通電極と電気的に接続されると共に前記第２の貫通電極とは絶縁された、単数若しくは複数の第１の導体薄膜と、
前記第２の貫通電極と電気的に接続されると共に前記第１の貫通電極とは絶縁されており、前記第１の導体薄膜と前記誘電体層を介して対向するよう配設された単数若しくは複数の第２の導体薄膜と、
を有することを特徴とするコンデンサシート。
（付記２）
１個の前記第１の貫通電極に形成された前記第１の導体薄膜は、前記複数の第２の貫通電極に形成された複数の前記第２の導体薄膜と同時に対向するよう構成してなることを特徴とする付記１記載のコンデンサシート。
（付記３）
前記第１の導体薄膜から積層方向上部に位置する前記第２の導体薄膜までの離間距離と、当該第１の導体薄膜から積層方向下部に位置する前記第２の導体薄膜までの離間距離が異なるよう構成したことを特徴とする付記１または２記載のコンデンサシート。
（付記４）
前記第１の貫通電極及び前記第２の貫通電極の上端部及び下端部が、外部接続電極として機能するよう構成したことを特徴とする付記１乃至３のいずれか１項に記載のコンデンサシート。
（付記５）
前記第１の貫通電極は、前記電子装置に形成された端子電極が挿入される貫通穴を有していることを特徴とする付記１乃至４のいずれか１項に記載のコンデンサシート。
（付記６）
複数の前記第１の貫通電極に電気的に接続された第１の導体薄膜を一体化したことを特徴とする付記１乃至５のいずれか１項に記載のコンデンサシート。
（付記７）
複数の前記第２の貫通電極に電気的に接続された第２の導体薄膜を一体化したことを特徴とする付記１乃至５のいずれか１項に記載のコンデンサシート。
（付記８）
絶縁体層内に基板電極が形成された電子回路基板であって、
該基板電極と前記第１及び第２の貫通電極が接続されるよう、付記１乃至７のいずれか１項に記載のコンデンサシートを搭載してなることを特徴とする電子回路基板。
（付記９）
前記基板電極が選択的に絶縁されてなる構成としたことを特徴とする付記８記載の電子回路基板。
【図面の簡単な説明】
【００８６】
【図１】図１は、コンデンサシートが用いられる通信装置の一例を示す斜視図である。
【図２】図２は、従来の一例である電子回路基板を用いたプラグインユニットを示す図であり、（Ａ）は背面図、（Ｂ）は正面図である。
【図３】図３は、従来のノイズ防止用のコンデンサの配設方法を説明するための図であり、（Ａ）は図２（Ａ）に矢印Ａで示す領域を拡大して示す図、（Ｂ）は図２（Ｂ）に矢印Ｂで示す領域を拡大して示す図である。
【図４】図４は、コンデンサの周波数特性を示す図である。
【図５】図５は、本発明の第１実施例を説明するための分解斜視図である。
【図６】図６は、本発明の第１実施例を説明するための分解断面図である。
【図７】図７は、本発明の第１実施例を説明するための図であり、ＬＳＩを電子回路基板に実装した状態を示す断面図である。
【図８】図８は、本発明の第１実施例を説明するための図であり、ＬＳＩを電子回路基板に実装した状態を示す部分断面斜視図である。
【図９】図９は、本発明の第１実施例であるコンデンサシートの斜視図である。
【図１０】図１０は、本発明の第１実施例であるコンデンサシートの誘電体層を取り除いた状態を示す斜視図である。
【図１１】図１１（Ａ）は本発明の第１実施例であるコンデンサシートの平面図であり、図１１（Ｂ）は図１１（Ａ）におけるＣ−Ｃ線に沿う断面図である。
【図１２】図１２は、本発明の第１実施例であるコンデンサシートの第１の貫通電極及び第２の貫通電極の近傍を拡大して示す図である。
【図１３】図１３は、本発明の第１実施例であるコンデンサシートにおいて、第１の導体薄膜と第２の導体薄膜によりコンデンサが形成されることを説明するための図である（その１）。
【図１４】図１４は、本発明の第１実施例であるコンデンサシートにおいて、第１の導体薄膜と第２の導体薄膜によりコンデンサが形成されることを説明するための図である（その２）。
【図１５】図１５は、本発明の第２実施例を説明するための分解断面図である。
【図１６】図１６は、本発明の第２実施例を説明するための図であり、ＬＳＩを電子回路基板に実装した状態を示す断面図である。
【図１７】図１７は、本発明の第２実施例であるコンデンサシートの第１の貫通電極及び第２の貫通電極の近傍を拡大して示す図である。
【図１８】図１８は、本発明の第３実施例を説明するための断面図である。
【図１９】図１９は、本発明の第３実施例であるコンデンサシートの第１の貫通電極及び第２の貫通電極の近傍を拡大して示す断面図である。
【図２０】図２０は、本発明の第４実施例であるコンデンサシートの第１の貫通電極及び第２の貫通電極の近傍を拡大して示す斜視図である。
【図２１】図２１は、本発明の第５実施例であるコンデンサシートの第１の貫通電極及び第２の貫通電極の近傍を拡大して示す斜視図である。
【図２２】図２２は、本発明の第６実施例であるコンデンサシートの第１の貫通電極及び第２の貫通電極の近傍を拡大して示す斜視図である。
【図２３】図２３は、本発明の第７実施例を説明するための図であり、ＬＳＩを電子回路基板に実装した状態を示す断面図である。
【図２４】図２４は、本発明の第８実施例を説明するための分解断面図である。
【図２５】図２５は、本発明の第８実施例を説明するための図であり、ＬＳＩを電子回路基板に実装した状態を示す断面図である。
【図２６】図２６は、本発明の第９実施例を説明するための分解断面図である。
【図２７】図２７は、本発明の第９実施例を説明するための図であり、ＬＳＩを電子回路基板に実装した状態を示す断面図である。
【符号の説明】
【００８７】
１  ＬＳＩ
１１  端子電極
２Ａ，２Ｂ  電子回路基板
２１  絶縁体層
２２，２２ａ，２２ｂ  導体層
２３  第１の基板電極
２４  第２の基板電極
３Ａ〜３Ｆ  コンデンサシート
３３Ａ〜３３Ｅ  第１の貫通電極
３４Ａ〜３４Ｅ  第２の貫通電極
３５Ａ〜３５Ｄ  第１の導体薄膜
３６Ａ〜３６Ｅ  第２の導体薄膜
３７  第１の貫通穴
３８  第２の貫通穴
３９  誘電体層
【図１】
2007250867.tif 000003
【図２】
2007250867.tif 000004
【図３】
2007250867.tif 000005
【図４】
2007250867.tif 000006
【図５】
2007250867.tif 000007
【図６】
2007250867.tif 000008
【図７】
2007250867.tif 000009
【図８】
2007250867.tif 000010
【図９】
2007250867.tif 000011
【図１０】
2007250867.tif 000012
【図１１】
2007250867.tif 000013
【図１２】
2007250867.tif 000014
【図１３】
2007250867.tif 000015
【図１４】
2007250867.tif 000016
【図１５】
2007250867.tif 000017
【図１６】
2007250867.tif 000018
【図１７】
2007250867.tif 000019
【図１８】
2007250867.tif 000020
【図１９】
2007250867.tif 000021
【図２０】
2007250867.tif 000022
【図２１】
2007250867.tif 000023
【図２２】
2007250867.tif 000024
【図２３】
2007250867.tif 000025
【図２４】
2007250867.tif 000026
【図２５】
2007250867.tif 000027
【図２６】
2007250867.tif 000028
【図２７】
2007250867.tif 000029